【手続補正書】
【提出日】平成17年7月1日(2005.7.1)
【手続補正１】
【補正対象書類名】明細書
【補正対象項目名】発明の名称
【補正方法】変更
【補正の内容】
【発明の名称】画像処理方法及び装置
【手続補正２】
【補正対象書類名】明細書
【補正対象項目名】特許請求の範囲
【補正方法】変更
【補正の内容】
【特許請求の範囲】
【請求項１】
漏電検知手段を有する第１の装置とＡＣ電源供給遮断手段を有する第２の装置とから構成される画像処理装置により画像を処理する画像処理方法において、前記第１の装置へのＡＣ電源供給は前記第２の装置から行われ且つ前記漏電検知手段の出力に基づいて前記ＡＣ電源供給遮断手段を制御することを特徴とする画像処理方法。
【請求項２】
前記漏電検知手段のフィードバックはオートシャットオフ機能を有するスイッチであることを特徴とする請求項１記載の画像処理方法。
【請求項３】
前記漏電検知手段により漏電が検知された場合、その旨を表示する表示工程を有することを特徴とする請求項１又は２記載の画像処理方法。
【請求項４】
前記第１の装置と前記第２の装置のどちらが漏電したかを前記表示工程により表示することを特徴とする請求項３記載の画像処理方法。
【請求項５】
前記第１の装置はリーダーであり且つ前記第２の装置はプリンタであることを特徴とする請求項１乃至４のいずれか１項に記載の画像処理方法。
【請求項６】
前記第１の装置はプリンタであり且つ前記第２の装置はリーダーであることを特徴とする請求項１乃至４のいずれか１項に記載の画像処理方法。
【請求項７】
漏電検知手段を有する第１の装置とＡＣ電源供給遮断手段を有する第２の装置とから構成される画像処理装置において、前記第１の装置へのＡＣ電源供給は前記第２の装置から行われ且つ前記漏電検知手段の出力に基づいて前記ＡＣ電源供給遮断手段を制御する制御手段を有することを特徴とする画像処理装置。
【請求項８】
前記漏電検知手段のフィードバックはオートシャットオフ機能を有するスイッチであることを特徴とする請求項７記載の画像処理装置。
【請求項９】
前記漏電検知手段により漏電が検知された場合、その旨を表示する表示手段を有することを特徴とする請求項７又は８記載の画像処理装置。
【請求項１０】
前記第１の装置と前記第２の装置のどちらが漏電したかを前記表示手段により表示することを特徴とする請求項９記載の画像処理装置。
【請求項１１】
前記第１の装置はリーダーであり且つ前記第２の装置はプリンタであることを特徴とする請求項７乃至１０のいずれか１項に記載の画像処理装置。
【請求項１２】
前記第１の装置はプリンタであり且つ前記第２の装置はリーダーであることを特徴とする請求項７乃至１０のいずれか１項に記載の画像処理装置。
【手続補正３】
【補正対象書類名】明細書
【補正対象項目名】０００１
【補正方法】変更
【補正の内容】
【０００１】
【発明の属する技術分野】
本発明は、画像処理方法及び装置に関する。
【手続補正４】
【補正対象書類名】明細書
【補正対象項目名】０００４
【補正方法】変更
【補正の内容】
【０００４】
専用の漏電ブレーカーとは図３１に示すように、負荷（Ｌ）３００６に供給されるＡＣ電源３００１の行きの電流３００４と帰りの電流３００５との電流差３０１０（本図の場合、人３００８が活電部に触れることによって生じた漏れ電流３００７が電流差になる）を零相変流器（ＺＣＴ）３００３で検知し、更に増幅器（ＡＭＰ）３００９で増幅し、予め決められた漏電電流がある時間以上流れたと判断された場合、トリップコイル電流３０１２が流れてトリップコイルが３０１１がトリップし、ブレーカー接点部３００２がオフされる構成になっている。
【手続補正５】
【補正対象書類名】明細書
【補正対象項目名】０００５
【補正方法】変更
【補正の内容】
【０００５】
図３２は、漏電ブレーカーを画像処理装置である複写装置（リーダーとプリンタとが別体で、リーダーを後付けできる構成）に搭載した例を示し、リーダーのＡＣ電源入力部の構成を示すブロック図である。同図において、供給されたＡＣ電源は、漏電ブレーカー３１０１、サーキットブレーカー３１０２及びメインスイッチ（メインＳＷ）３１０７を通り、プリンタに供給される系とリーダーに供給される系とに分離する。
【手続補正６】
【補正対象書類名】明細書
【補正対象項目名】０００８
【補正方法】変更
【補正の内容】
【０００８】
図３３は、画像処理装置を構成する２つの装置間でのＡＣ電源供給関係を示す側面図である。同図は、プリンタ（第１の装置）３２０２の電源を生成するプリンタ電源３２０５のＡＣ電源供給は、プリンタインレット３２０７、プリンタアウトレット３２０６を介してリーダー（第２の装置）３２０１から行われること、更に、リーダーインレット３２０４から装置全体のＡＣ電源供給がなされること（リーダー電源３２０３のＡＣ電源もここから供給される）ことを示している。
【手続補正７】
【補正対象書類名】明細書
【補正対象項目名】０００９
【補正方法】変更
【補正の内容】
【０００９】
また、リーダー３２０１は装置の全ての電源供給を断つ第１スイッチ（ＳＷ１）３２０８、プリンタＡＣ電源供給及びリーダー３２０１のＡＣ電源供給の一部を断ち、ＰＤＬ自動受信を可能にする第２スイッチ（ＳＷ２）３２０９（通常ユーザーはこの第２スイッチ３２０９を使用、図３２のソフトＳＷ３１０９）を有し、プリンタ３２０２はプリンタ全ての電源供給を断つ第３スイッチ（ＳＷ３）３２１０を有する。
【手続補正８】
【補正対象書類名】明細書
【補正対象項目名】００１０
【補正方法】変更
【補正の内容】
【００１０】
図３４は、プリンタ３２０２のＡＣ電源入力部の構成を示すブロック図である。同図において、プリンタインレット３３００から供給されたＡＣ電源は、サーキットブレーカー３３０１及びノイズフィルタ３３０２を通り、定着器制御回路３３０３に入る系と、スイッチ電源部（ＳＷ電源部）３３０４に入る系とに分けられる。
【手続補正９】
【補正対象書類名】明細書
【補正対象項目名】００１４
【補正方法】変更
【補正の内容】
【００１４】
仮に、上述した複写装置において、オートシャットオフ機能を有するスイッチを搭載することを考えると、上述した図３２のメインＳＷ３１０７になる。
【手続補正１０】
【補正対象書類名】明細書
【補正対象項目名】００１６
【補正方法】変更
【補正の内容】
【００１６】
また、上述した従来例の対策では、追加デバイスである漏電ブレーカーが作動することにより機械がダウンした際、漏電ブレーカーのスイッチが表に出ていない場合、機械のどの部分がダウンしたのかをすぐに判明することができなかった。また、ユーザー（オペレーター）が前記スイッチを作動できる場合、再び簡単にオンしないようにするため、前記スイッチを通常ユーザー（オペレーター）が簡単に触れない所に配置する。また、リーダーとプリンタとが別体である画像処理装置では、リーダーとプリンタのどちらに不具合があって、電源がダウンしたのかを調べるのに長時間かかるという問題点があった。
【手続補正１１】
【補正対象書類名】明細書
【補正対象項目名】００１７
【補正方法】変更
【補正の内容】
【００１７】
本発明は上述した従来の技術の有するこのような問題点に鑑みてなされたものであり、その目的とするところは、簡単且つ安価な構成で安全性の向上を図ることができると共に、機械のどの部分がダウンしたかをオペレーター（ユーザー）が容易に解明できる画像処理方法及び装置を提供することにある。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
【課題を解決するための手段】
上記目的を達成するために請求項１記載の画像処理方法は、漏電検知手段を有する第１の装置とＡＣ電源供給遮断手段を有する第２の装置とから構成される画像処理装置により画像を処理する画像処理方法において、前記第１の装置へのＡＣ電源供給は前記第２の装置から行われ且つ前記漏電検知手段の出力に基づいて前記ＡＣ電源供給遮断手段を制御することを特徴とする。
【手続補正２０】
【補正対象書類名】明細書
【補正対象項目名】００２６
【補正方法】変更
【補正の内容】
【００２６】
また、上記目的を達成するために請求項２記載の画像処理方法は、請求項１記載の画像処理方法において、前記漏電検知手段のフィードバックはオートシャットオフ機能を有するスイッチであることを特徴とする。
【手続補正２１】
【補正対象書類名】明細書
【補正対象項目名】００２７
【補正方法】変更
【補正の内容】
【００２７】
また、上記目的を達成するために請求項３記載の画像処理方法は、請求項１又は２記載の画像処理方法において、前記漏電検知手段により漏電が検知された場合、その旨を表示する表示工程を有することを特徴とする。
また、上記目的を達成するために請求項４記載の画像処理方法は、請求項３記載の画像処理方法において、前記第１の装置と前記第２の装置のどちらが漏電したかを前記表示工程により表示することを特徴とする。
【手続補正２２】
【補正対象書類名】明細書
【補正対象項目名】００２８
【補正方法】変更
【補正の内容】
【００２８】
また、上記目的を達成するために請求項５記載の画像処理方法は、請求項１乃至４のいずれか１項に記載の画像処理方法において、前記第１の装置はリーダーであり且つ前記第２の装置はプリンタであることを特徴とする。
【手続補正２３】
【補正対象書類名】明細書
【補正対象項目名】００２９
【補正方法】変更
【補正の内容】
【００２９】
また、上記目的を達成するために請求項６記載の画像処理方法は、請求項１乃至４のいずれか１項に記載の画像処理方法において、前記第１の装置はプリンタであり且つ前記第２の装置はリーダーであることを特徴とする。
【手続補正２４】
【補正対象書類名】明細書
【補正対象項目名】００３０
【補正方法】変更
【補正の内容】
【００３０】
また、上記目的を達成するために請求項７記載の画像処理装置は、漏電検知手段を有する第１の装置とＡＣ電源供給遮断手段を有する第２の装置とから構成される画像処理装置において、前記第１の装置へのＡＣ電源供給は前記第２の装置から行われ且つ前記漏電検知手段の出力に基づいて前記ＡＣ電源供給遮断手段を制御する制御手段を有することを特徴とする。
【手続補正２５】
【補正対象書類名】明細書
【補正対象項目名】００３１
【補正方法】変更
【補正の内容】
【００３１】
また、上記目的を達成するために請求項８記載の画像処理装置は、請求項７記載の画像処理装置において、前記漏電検知手段のフィードバックはオートシャットオフ機能を有するスイッチであることを特徴とする。
【手続補正２６】
【補正対象書類名】明細書
【補正対象項目名】００３２
【補正方法】変更
【補正の内容】
【００３２】
また、上記目的を達成するために請求項９記載の画像処理装置は、請求項７又は８記載の画像処理装置において、前記漏電検知手段により漏電が検知された場合、その旨を表示する表示手段を有することを特徴とする。
また、上記目的を達成するために請求項１０記載の画像処理装置は、請求項９記載の画像処理装置において、前記第１の装置と前記第２の装置のどちらが漏電したかを前記表示手段により表示することを特徴とする。
【手続補正２７】
【補正対象書類名】明細書
【補正対象項目名】００３３
【補正方法】変更
【補正の内容】
【００３３】
また、上記目的を達成するために請求項１１記載の画像処理装置は、請求項７乃至１０のいずれか１項に記載の画像処理装置において、前記第１の装置はリーダーであり且つ前記第２の装置はプリンタであることを特徴とする。
【手続補正２８】
【補正対象書類名】明細書
【補正対象項目名】００３４
【補正方法】変更
【補正の内容】
【００３４】
また、上記目的を達成するために請求項１２記載の画像処理装置は、請求項７乃至１０のいずれか１項に記載の画像処理装置において、前記第１の装置はプリンタであり且つ前記第２の装置はリーダーであることを特徴とする。
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】０１８５
【補正方法】変更
【補正の内容】
【０１８５】
図２８は、本実施の形態に係る画像処理装置におけるプリンタ１０２のＡＣ電源入力部の構成を示すブロック図であり、同図において、上述した従来例の図３４と同一部分には同一部が付してある。
【手続補正４６】
【補正対象書類名】明細書
【補正対象項目名】０１８６
【補正方法】変更
【補正の内容】
【０１８６】
図２８において図３４と異なる点は、図３４の構成に漏電検出部２８０１を付加したことであり、この漏電検出部２８０１はサーキットブレーカー３３０１とノイズフィルタ３３０２との間に介装されている。そして、漏電検出部２８０１の出力は、ビデオＩ／Ｆ６０１を通してリーダー１０１にフィードバックされる。
【手続補正４７】
【補正対象書類名】明細書
【補正対象項目名】０１８８
【補正方法】変更
【補正の内容】
【０１８８】
図２９において図４と異なる点は、図４の構成に第２のＯＲゲート２９０１を付加したことであり、この第２のＯＲゲート２９０１は、ＡＮＤゲート４０２の前段に配置されている。そして、リーダー漏電信号４０７とプリンタ漏電信号２９０２は、ＣＰＵ４０１により監視され、どちらかの漏電信号が検出された場合、その旨が操作部２７０１の表示部に表示される。また、２つの漏電信号は第２のＯＲゲート２９０１に入力される。
【手続補正４８】
【補正対象書類名】明細書
【補正対象項目名】０１９４
【補正方法】削除
【補正の内容】
【手続補正４９】
【補正対象書類名】明細書
【補正対象項目名】０１９５
【補正方法】削除
【補正の内容】
【手続補正５０】
【補正対象書類名】明細書
【補正対象項目名】０１９６
【補正方法】削除
【補正の内容】
【手続補正５１】
【補正対象書類名】明細書
【補正対象項目名】０１９７
【補正方法】削除
【補正の内容】